(57)【特許請求の範囲】
【請求項１】
車両のブレーキディスク面を撮像して検査する車両検査装置であって、
前記車両の軌道に沿って配置され、前記軌道を通過する車両の前記ブレーキディスク面の画像を撮像する撮像装置と、
前記撮像装置による撮像画像を処理し、前記ブレーキディスク面における特徴点を抽出する処理を行う処理装置と、
前記撮像画像及び前記特徴点の抽出処理結果を含むデータを保存する保存装置と、を備え、
前記撮像装置は、前記ブレーキディスク面の被撮像領域へ照明する照明光源と、前記被撮像領域からの反射光を撮像するカメラと、を備え、
前記照明光源は、前記ブレーキディスク面の中心を原点とする座標系における被照明領域となる第１の領域に対して、それとは異なる第２の領域上の空間に配置され、
前記カメラは、その光軸が、前記ブレーキディスク面の法線に対して所定角度以上に傾けた位置となるように配置され、
前記カメラは、その光軸が、前記ブレーキディスク面の法線に対して下方向に傾けた位置となるように配置され、
前記カメラの光軸と前記ブレーキディスク面の法線との成す角度は、１５度〜３０度の範囲内であり、
前記照明光源としては、前記カメラの両側に第１及び第２の２つの照明光源が配置され、
前記第１の照明光源は、前記ブレーキディスク面の座標系における左下の第１の領域を照明し右下の第２の領域上の空間に配置され、
前記第２の照明光源は、前記ブレーキディスク面の座標系における右下の第２の領域を照明し左下の第１の領域上の空間に配置され、
前記カメラの光軸と前記第１及び第２の照明光源の光軸との成す角度は、３０度〜７０度の範囲内であり、
前記第１及び第２の照明光源の光軸と前記ブレーキディスク面の法線との成す角度は、６０度〜８０度の範囲内であること、を特徴とする車両検査装置。
【請求項２】
請求項１記載の車両検査装置において、
前記撮像装置として、前記車両の走行状態で前記ブレーキディスク面の全体を複数の領域に分割して撮像することに対応して、前記車両の軌道に沿って配置される複数の撮像装置を有すること、を特徴とする車両検査装置。
【請求項３】
請求項２記載の車両検査装置において、
前記複数の撮像装置は、第１の系の撮像装置と、第２の系の撮像装置とを含んで成り、
前記第１の系の撮像装置により、前記ブレーキディスク面の座標系の角度における第１の角度の位置で第１の画像を撮像し、
前記第２の系の撮像装置により、前記ブレーキディスク面の座標系の角度における第２の角度の位置で第２の画像を撮像し、
前記第１、第２の画像を用いて、前記第１、第２の角度の位置の差による特徴点の検出感度の差を補正するように処理して、検査のための画像を得ること、を特徴とする車両検査装置。
【請求項４】
請求項１記載の車両検査装置において、
前記照明光源は、その照明の発光分布が前記ブレーキディスク面の検査対象領域以外の不要部を照明しないように限定する照明限定手段を備えること、を特徴とする車両検査装置。
【請求項５】
請求項４記載の車両検査装置において、
前記照明限定手段として、光源からの光を一部遮蔽するマスクを備えること、を特徴とする車両検査装置。
【発明の詳細な説明】
【技術分野】
【０００１】
本発明は、鉄道車両の検査の技術に関し、特に、車輪側面等に装架されたブレーキディスク（以下、単にディスクとも称する）の検査の技術に関する。
【背景技術】
【０００２】
鉄道車両は、その安全運行のため、各箇所についてそれぞれ決められた周期で検査を含む点検・整備などが検査場などにおいて行われている。そのうち頻繁に行われる検査として、車両の構成部品を取り外さない状態で行うものがある。このとき、車輪周辺部（車輪部）の検査については、検査場内に車両を停車させた状態で、検査員による目視確認によって行われる。しかしながら、一般に鉄道車両の車輪部のおおよそ上半分は構造物（台車構造物）に覆われており、その覆われた部分については目視確認することができない。
【０００３】
車輪周辺部の検査項目として特に、車輪の両側面等に取り付けられたブレーキ用のディスク（ブレーキディスク）を対象とした点検（検査）がある。ブレーキディスクは、ブレーキライニングで車輪部のディスクをはさみ込むことによる摩擦によりブレーキ力を生じさせ、車両を停止させるものである。このディスクは、様々なストレスがかかるため、異常が発生していないかどうかの点検、特にディスク表面の検査は、重要なものである。
【０００４】
上記ブレーキディスクについても、同様に、構造物により覆われた部分については、目視確認による検査はできない。また、頻繁に構成部品を取り外して検査することは手間・コストがかかり現実的ではない。
【０００５】
ディスク表面の検査を自動的（高効率）に行うための、先行技術としては、例えば、特開平１１−２３０９１２号公報（特許文献１）に記載の「表面欠陥検出装置及びその方法」がある。ここでは、シート状レーザ光をディスク面上に照射し、その散乱光と正反射光を別々のセンサでとらえて、それらの強度比から表面の異常（欠陥）を検出する技術が開示されている。
【０００６】
また、その他の車輪周辺部の検査項目としては、車輪がレールと接する部分、即ち踏面の検査がある。車輪踏面についても、車両の停車状態では、その全周を目視確認により検査することはできない。
【０００７】
車輪踏面の検査に関する先行技術としては、例えば、特開平７−１７４６７２号公報（特許文献２）に記載の「車輪踏面欠陥検査装置」がある。これは、車両の走行中にカメラで車輪踏面を撮影することで検査を行うものである。軌道（線路）脇に設置した複数のカメラによって、走行車両の車輪踏面（その全周）を車輪円周方向で複数に分割して複数の画像を撮像し、これにより全周（１周）分の検査画像を得ることが記載されている。
【先行技術文献】
【特許文献】
【０００８】
【特許文献１】特開平１１−２３０９１２号公報
【特許文献２】特開平７−１７４６７２号公報
【特許文献３】特開昭６４−４０５号公報
【発明の概要】
【発明が解決しようとする課題】
【０００９】
鉄道車両の車輪部のディスク（ブレーキディスク）面を対象とした検査に関して、前述の理由から、１回の停車状態で構成部品を取り外さない状態で当該ディスク全面を目視確認等により点検（検査）することは難しい。
【００１０】
前記特許文献１の技術では、シート状レーザ光の照射される１直線上の情報しか得られないため、車輪等を回転させるか、照明／検出系（撮像光学系）を円周方向に動かすか等しないと、ディスクの面の情報を得て検査することができない。よって、停車状態の車両のディスクの検査に適用することは難しい。
【００１１】
また、車輪踏面の検査についても、ディスク面の検査の場合と同様に、１回の停車状態では、踏面の全周の検査はできない。
【００１２】
そこで、前記特許文献２の技術では、前記カメラでの撮像により、走行状態の車両の車輪踏面の検査画像を得ている。しかしながら、これは車輪外周部の検査であるため、本発明で対象とする車輪側面等のディスク面の検査については考慮されておらず、適用することは難しい。
【００１３】
上記に基づき、ディスク表面の検査を自動的（高効率）に行うために、車輪側面等のディスク面を撮像して検査する方式を考える。特に、走行状態の車両における回転する車輪部のディスク面を軌道の横方向から撮像することにより、ディスク全面の検査を効率的に且つ精度良く実現したい。しかしながら、このような検査を考えた場合、以下のような問題が挙げられる。
【００１４】
即ち、（１）被検査面であるディスク面は、ブレーキライニングで磨かれた状態であることから、表面が金属鏡面状態となり、撮像光学系（カメラ等）自身や周囲物が映り込んでしまう。この映り込みにより、撮像によるディスク表面状態の正確な把握が難しい。（２）ディスク表面には、ブレーキライニングとの摩擦の痕、いわゆる「しゅう動痕」が、無数の同心円状の微細な「きず」のようなものとして生じている。この「しゅう動痕」で照明光が正反射することで、ディスク面の特定の場所で直線上の輝線が発生する。この輝線により、撮像によるディスク表面状態の正確な把握が難しい。
【００１５】
上記のような問題により、従来技術では、ディスクの表面状態を正確に（精度良く）撮像・検出することが難しい。特に、ディスク全面の検査を１回で効率的に且つ精度良く実現することは難しい。
【００１６】
以上を鑑み、本発明の主な目的は、鉄道車両の車輪部（車輪周辺部）のディスク（ブレーキディスク）を対象とした撮像による検査の技術に係わり、上記のような問題を解決し、ディスクの表面状態を正確に（精度良く）撮像・検出することができる技術、特に、走行状態の車両における回転する車輪部のディスク面を軌道の横方向から撮像することにより、ディスク全面の撮像・検査を効率的に且つ精度良く実現することができる技術を提供することである。
【課題を解決するための手段】
【００１７】
本願において開示される発明のうち、代表的なものの概要を簡単に説明すれば、次の通りである。本発明の代表的な実施の形態は、前述のブレーキディスク面を対象として撮像・検査を行う装置（車両検査装置）及び方法等の技術であって、特に走行状態の車両のディスク面を対象として撮像光学系により撮像した画像を処理して検査する方式を用い、以下に示す構成を有することを特徴とする。
【００１８】
本形態の検査装置は、被検査面（ディスク面）の撮像を行う撮像光学系（撮像装置）と、撮像した画像の情報をもとに検査のための情報処理を行う装置（検査制御装置）とを有する。撮像装置は、照明光源、カメラ（撮像センサ）等を含んで成る。特に、ディスク面を複数に分けて撮像する方式に対応して、複数の撮像光学系を用いる。
【００１９】
（１：カメラの配置）  被検査面が鏡面状態であることから、カメラを被検査面（被照明領域）の法線上に設けた場合、カメラ等の撮像光学系自身がディスク面上に映り込んでしまい撮像画像に影響する。本発明では、それを抑止するため、カメラ（その光軸）を被検査面の法線から上下左右方向などで所定角度以上に傾けた位置に配置する。
【００２０】
（２：照明光源の配置）  また、本形態は、前記輝線などの発生（その影響）を抑止するため、被検査面のディスク中心を原点とする座標系（２次元平面座標系、極座標系）を仮定したとき、ディスク面は、ディスク中心を原点に４つの象限（面、領域）に分けられ、右上の象限を起点に第１象限として反時計回りに第２、第３象限とし、右下を第４象限とする。このとき、上の第１、第２象限が、前述の説明のように構造物で隠された形になり、左下の第３象限、右下の第４象限が撮像対象となる。以下、第３象限に対応する領域を第２の領域とも称し、第４象限に対応する領域を第１の領域とも称する。このとき、第２の領域を照らす照明光源（第１の照明光源）を、被照明領域とは異なる第１の領域上の空間に配置する。逆に、第１の領域を照らす照明光源（第２の照明光源）は、第２の領域上の空間に配置する。
【００２１】
（３：走行時に撮像する構成）  本形態では、照明光源とカメラを含んで成る撮像光学系（撮像装置）を、検査対象の車両の走行する軌道に沿って配置する。軌道上、車輪（ディスク）が撮像光学系での撮像位置になったことを検知するセンサに同期して、ディスク面の領域を撮像して画像を取得する。上記構成により、走行状態の車両の車輪部のディスク面を撮像する。なお、上記センサに同期して撮像する構成については、例えば、特開昭６４−４０５号公報（特許文献３）に記載の方法が使用できる。
【００２２】
（４：ディスク面を複数に分けて撮像する構成）  また更に、本形態では、ディスク面を複数に分けて撮像する方式に対応して、軌道に沿って撮像光学系（撮像装置）を複数並べて配置する。そして、これら複数の撮像装置（グループ）により、走行車両におけるディスク面（全面）を複数の領域に分けて複数の画像を撮像する。これにより１回の走行でディスク全面の検査画像を得て検査を行う。
【００２３】
（５：特徴点の顕在化の特性を考慮した配置構成）  また本形態では、ディスク表面に一般に発生する「きず」等のような特徴点を検出（抽出）する。当該特徴点の検出にあたり、撮像の際の特徴点の顕在化の特性（検出感度）は、ディスク面における特徴点の発生方向（形状）とそれに対する照明の方向とに関連性があり、それを考慮して、撮像光学系（照明、カメラ等）の配置等が構成される。
【００２４】
（６：検出感度の差の補正）  上記のように特徴点に対する照明方向により特徴点の検出感度が変化する。従って上記のように当該検出感度が優って（高く）撮像できる位置に撮像光学系を配置しても、車両走行に伴うディスク回転に応じて、撮像画像範囲内における特徴点の位置が変わり、特徴点に対する照明方向が変化することで、撮像画像範囲内で検出感度が変化する。従って、本形態は、上記配置構成において、ディスク全面のうち、当該検出感度が相対的に劣る（低い）状態になる箇所（角度位置）については、当該特徴点の当該検出感度が相対的に優る（高い）状態になる時（当該位置に来るとき）の撮像画像を用い、合成（補正）処理等を行うことで検出感度の差を補正し、全体的に精度良い検査画像を得る。
【００２５】
（７：照明限定手段）  また本形態は、ディスク周辺に存在する台車構造物等の撮像の際の不要部による影響を排除・低減するために、撮像光学系におけるディスク面への照明光の光量面内分布等の構成に関して、上記不要部へ照明光が殆ど当たらないようにする照明限定手段を備える。これにより、鏡面状態のディスク表面への不要部等の映り込みを抑止し、ディスク表面状態が正確に把握できなくなることを防ぐ。
【００２６】
上記のような特徴に対応して、本検査装置は、例えば以下のような構成である。
【００２７】
（１）  本検査装置は、車両の車輪部のディスク面を撮像して検査する検査装置であって、車両の軌道（線路）に沿って設置され、軌道を通過する車両のディスク面の画像を、照明光源及びカメラを用いて撮像する撮像装置と、撮像装置による撮像画像を処理し、ディスク面における検査対象となる特徴点を抽出する処理を行う処理装置（検査制御装置）と、撮像画像及び特徴点の抽出処理結果を含むデータを保存する保存装置と、を備える。撮像装置は、ディスク面の被撮像領域（被照明領域）へ照明する照明光源と、被撮像領域からの反射光を撮像するカメラと、を備える。
【００２８】
撮像装置において、ディスク面の被撮像領域（被照明領域）へ照明する照明光源は、ディスク（円形状領域）の中心（回転中心軸）を原点とする座標系における被照明領域を含む第１の領域に対応する空間ではなく、それとは異なる第２の領域に対応する空間に配置される。
【００２９】
撮像装置において、ディスク面の被撮像領域からの光を撮像するカメラは、その光軸が、ディスク面（被照明領域を含む第１の領域）の法線に対して、上下左右等のいずれかの方向に所定角度以上の範囲内に傾けた位置となるように配置される。
【００３０】
（２）  特に、上記検査装置において、撮像装置のカメラは、その光軸が、ディスク面（中心）の法線に対して下方向に傾けた位置となるように配置され、カメラの光軸とディスク面（中心）の法線との成す角度（α）は、１５度〜３０度の範囲内である。照明光源は、カメラの両側に第１及び第２の２つの照明光源が配置される。第１の照明光源は、ディスク面の座標系における第１の領域を照明し第２の領域上の空間に配置され、第２の照明光源は、ディスク面の座標系における第２の領域を照明し第１の領域上の空間に配置される。カメラの光軸と照明光源の光軸との成す角度（γ）は、３０度〜７０度の範囲内である。照明光源の光軸とディスク面の法線との成す角度（β）は、６０度〜８０度の範囲内である。
【００３１】
（３）  また、上記同様に撮像装置、処理装置及び保存装置等を備える検査装置において、前記撮像装置として、車両の走行状態でディスク面の円形状領域の全体を分割して撮像するために、少なくとも第１の系及び第２の系を含む複数の撮像装置を有する。
【００３２】
上記撮像装置による撮像画像において、ディスク面における極座標系の角度（位置）に応じて発生する、検査すべき特徴点の検出感度が相対的に低下する角度の状況で前記第１の系の撮像装置により撮像される第１の部位を、当該特徴点の検出感度が相対的に高い角度の状況で撮像することができる位置に配置される第２の系の撮像装置により撮像する。そして、本検査装置は、第１の系の撮像装置による第１の撮像画像と、第２の系の撮像装置による第２の撮像画像とを、ディスク回転角度の違い（検出感度の差）を補正して合成処理し、ディスク面の撮像画像及び特徴点の抽出処理結果を含むデータを得る。これにより、ディスク面での特徴点の検出感度の低下する箇所についての撮像の精度を向上する。
【発明の効果】
【００３３】
本願において開示される発明のうち、代表的なものによって得られる効果を簡単に説明すれば以下の通りである。本発明の代表的な実施の形態によれば、鉄道車両の車輪部（車輪周辺部）のディスク（ブレーキディスク）を対象とした撮像による検査の技術に係わり、前述のような問題を解決し、ディスクの表面状態を正確に（精度良く）撮像・検出することができる。特に、走行状態の車両における回転する車輪部のディスク面を軌道の横方向から撮像することにより、ディスク全面の撮像・検査を効率的に且つ精度良く実現することができる。
【図面の簡単な説明】
【００３４】
【図１】本発明の実施の形態１における車両検査装置に関する全体の配置等の構成を上側から示す説明図である。
【図２】実施の形態１で、検査対象の車両（車輪、ブレーキディスク等）の構成を側面から示す説明図である。
【図３】実施の形態１で、ディスク面を分割撮像する構成における撮像範囲などの例を示す説明図である。
【図４】実施の形態１で、検査装置における検査制御装置の構成例を示す図である。
【図５】実施の形態１の前提技術として、被検査面（ディスク面）に対する撮像カメラの配置に関し、側面から示す説明図である。
【図６】実施の形態１における撮像光学系の配置構成を示す説明図であり、（ａ）は、ディスク面の法線に対するカメラ及び照明光源の配置を横側（ディスク側面方向）から示し、（ｂ）は、ディスク面の中心に対するカメラ及び照明光源の配置をディスク正面方向から示す。
【図７】実施の形態１の前提技術として、被検査面（ディスク面）の表面を拡大して側面方向の断面を示す説明図である。
【図８】実施の形態１の前提技術として、ディスク面における特徴点の方向（形状）に対する照明方向（角度θ１）による影響（特徴点の顕在化の特性）について示す説明図であり、（ａ）は、ディスク面の座標系（極座標系）における特徴点の長手方向に対する照明光の角度（θ１）を示し、（ｂ）は、当該角度（θ１）に応じた特徴点の顕在化の度合いを表すコントラスト（Ｃ）に関する実験データを示す。
【図９】実施の形態１の前提技術として、ディスク面における輝線の発生を示す説明図であり、（ａ）はシステム全体を示し、（ｂ）は右側の照明のみを抜き出して示したものである。
【図１０】実施の形態１に係わり、輝線の発生理由及び輝線に対策する構成を説明するための図であり、（ａ）は、ディスク面における「しゅう動痕」及び輝線を示し、（ｂ）は、（ａ）のディスク表面断面を示し、（ｃ）は、照明光源とカメラと輝線を示し、（ｄ）は、「しゅう動痕」及び輝線を考慮した撮像光学系の配置構成を示す。
【図１１】実施の形態１に係わり、建築限界等を説明するために、車両及びその周囲の断面を示す図である。
【図１２】実施の形態１における、撮像光学系の最良の配置構成例を示す説明図であり、（ａ）は、ディスク面の中心に対するカメラ及び照明光源の配置をディスク正面方向から示し、（ｂ）は、ディスク面の法線に対するカメラ及び照明光源の配置を横側（ディスク側面方向）から示す。
【図１３】実施の形態１における、ディスク面の特徴点の位置に応じた特徴点の顕在化の度合いを説明する図であり、（ａ）は、ディスク面の座標系における、回転（角度θ２）による特徴点の位置の変化を示し、（ｂ）は、（ａ）の角度θ２に応じた各位置の特徴点の顕在化の度合い（コントラスト（Ｃ））を調べた結果を示す。
【図１４】本発明の実施の形態２における検査装置に関し、ディスク面を分割撮像する構成例を示す説明図である。
【図１５】本発明の実施の形態２における検査装置に関し、画像の合成方法を示す説明図である。
【図１６】本発明の実施の形態３における検査装置に関し、撮像の際の台車構造物に当たる照明光について説明する図であり、（ａ）は、ディスク及び台車構造物等を正面方向から示し、（ｂ）は、（ａ）を側面方向から示す。
【図１７】実施の形態３における、照明限定手段を備える撮像光学系等の構成を示す説明図である。
【図１８】実施の形態３における、照明光源の内部構成例を示す図である。
【図１９】他の実施の形態における、車軸に装架されたディスクブレーキの構成例を示す図である。
【発明を実施するための形態】
【００３５】
以下、本発明の実施の形態を図面に基づいて詳細に説明する。なお、実施の形態を説明するための全図において、同一部には原則として同一符号を付し、その繰り返しの説明は省略する。
【００３６】
（実施の形態１）
図１〜図１３を用いて、本発明の実施の形態１の車両検査装置（以下、単に検査装置とも称する）について説明する。実施の形態１は、（ａ）車両走行状態でディスク面全面を複数に分割して撮像する構成（図１，図３等）、（ｂ）不要物の映り込み等を避ける撮像光学系の配置構成（図６，図１２等）、（ｃ）建築限界を考慮した配置の構成（図１１等）、（ｄ）位置関係に応じた特徴点の顕在化の特性を考慮した構成（図８，図１３等）、などを有する。
【００３７】
＜車輪部、軌道、車両検査装置＞
図１は、検査対象（車輪部等）、軌道、及び検査装置３００（そのうちの撮像光学系１００）を含む、全体の配置等の構成を軌道及び車両の上側から示している。図１では、検査対象の車両全体については図示省略し、そのうちの車軸３と車輪２（ディスク１を含む）を１軸分のみを示した。また、検査装置３００のうち撮像光学系１００を示し、他の要素は後述する。
【００３８】
車軸３と車輪２のセットは輪軸と呼び、車軸３に対し、車輪２（２ａ，２ｂ）、及びブレーキディスク１（１ａ〜１ｄ）等を有して成る。車輪２（２ａ，２ｂ）は、線路（軌道）４（４ａ，４ｂ）上をａの方向に走行する。
【００３９】
本ディスク１の検査は、例えば検査場において線路４上を所定速度で走行状態の車両に対して行われる。車両は、ａの走行方向に、例えば時速１０ｋｍ程度で走行する。また、ａの方向の４つの撮像光学系１００による各撮像タイミングを検知するためのセンサ（車輪検知センサ）２１（２１ａ〜２１ｄ），２２（２２ａ〜２２ｄ）が、線路４に沿って配置されている。
【００４０】
本例では、検査対象となるディスク１（１ａ〜１ｄ）は、各車輪２（２ａ，２ｂ）の表裏の両側面に装架されている。即ち、１つの輪軸に対して合計４つのディスク１（１ａ〜１ｄ）を有する。複数のディスク１（１ａ〜１ｄ）に対応して、撮像光学系（撮像装置）１００は、ディスク１ａを撮像する撮像光学系１０１ａ、並びにディスク１ｂ，１ｃ，１ｄを撮像する撮像光学系１０１ｂ，１０１ｃ，１０１ｄといったように、線路４（４ａ，４ｂ）の両脇にそれぞれ配置される。
【００４１】
また、１つのディスク１（例えば車輪２ａの表側に装架されたディスク１ａ）に対して、その撮像・検査のために、複数（本例では４つ）の撮像光学系（撮像装置）１００（例えば１０１ａ〜１０４ａ）が、線路４（例えば４ａ）に沿って設置される。複数の撮像光学系１００で１つのグループ（系）とする。ディスク１全面を複数（本例では４つ）の領域に分けて撮像するので、グループ毎にａの方向に沿って複数（４つ）の撮像光学系１００が順に所定間隔で配置される。
【００４２】
１つの撮像光学系１００は、詳細は後述するが、主に、カメラ１１（ＴＶカメラ等の二次元撮像センサ）と照明光源１２（１２ａ，１２ｂ）から成る。
【００４３】
センサ２１，２２は、車輪２が線路４上の所定の位置を通過すること（車輪２先端がセンサ２１，２２間のラインに到達したこと）を検知するものであり、例えばオムロン社製の光電センサＥ３Ｓ−Ｃのような光電スイッチを用いることができる。センサ２１，２２により、車輪２（ディスク１）が、対応する撮像光学系１００の最適な撮像位置に移動して来たことを検知する。すると、それを基準とする所定のタイミングで、撮像光学系１００は、ディスク１面を撮像する。
【００４４】
＜車両＞
図２は、検査対象の車両の構成を示し、線路４上、車両（車両本体）７、台車構造物８、輪軸部（構成要素：３，２，１）などを側面から示している。車輪２は台車構造物８によって支持され、台車構造物８は車両本体７を支えている。車輪２の側面、即ちブレーキディスク１のおおよそ上半分は、台車構造物８により覆われており、容易に見ることはできない。
【００４５】
＜ディスク面＞
図３は、ディスク１面を複数に分割して撮像する構成における撮像範囲などの例を示している。上記のように、ディスク１のおおよそ上半分については視認及び撮像ができないので、実施の形態１では、図３に示すように、ディスク１（例えば１ａ）の全面（円形状領域）を例えば４つの扇状（四分円）の領域（Ａ〜Ｄ）に分割し、車両の走行に伴い、それぞれの領域を対応する撮像光学系１００（例えば１０１ａ〜１０４ａ）により撮像する構成である。１つの撮像光学系１００（例えば１０１ａ）は、ディスク１面のうち一部の領域（例えば領域Ａを含む範囲Ｒ１）を撮像する。線路４上、ディスク１の第１の分割面（領域Ａ）が真下になる位置（Ｌ１）に来たとき、第１の撮像光学系１０１ａにより当該領域Ａを中心にした範囲Ｒ１を撮像する。次に、車両の走行により車輪２及びディスク１の回転がｂの方向に進んで、ディスク１の第２の分割面（領域Ｂ）が真下になる位置（Ｌ２）に来たとき、第２の撮像光学系１０２ａにより撮像する。以降同様に、第３の面（Ｃ），第４の面（Ｄ）について、各位置（Ｌ３，Ｌ４）で第３、第４の撮像光学系１０３ａ，１０４ａによりそれぞれ撮像する。これら４つの撮像光学系１００（１０１ａ〜１０４ａ）によるグループ（第１の系とする）により、ディスク１面の全面（領域Ａ〜Ｄ）を、１回の走行時に撮像することができる。
【００４６】
矩形状の撮像範囲Ｒ１は、カメラ１１が実際に撮影する範囲である。この撮像範囲Ｒ１の中には、最低限、Ａ〜Ｄのような扇状の領域（被照明領域を含む）を含んでおり、当該領域を検査に使用する。
【００４７】
＜検査制御装置＞
図４には、本実施の形態１の検査装置３００における検査制御装置２００の構成例を示している。図１の各撮像光学系（撮像装置）１００は、検査制御装置２００に接続され、全体として検査装置３００が構成されている。図４では１単位の検査装置３００を示すが、複数の各撮像装置１００に関して同様の構成である。また、複数の撮像装置１００を１つの検査制御装置２００に接続して処理する形態なども可能である。
【００４８】
撮像光学系（撮像装置）１００は、例えばカバー（筐体）内に、カメラ１１、照明光源１２等が配置された構造である。本例では１つの撮像装置１００内には２つの照明光源１２（１２ａ，１２ｂ）が設けられている。
【００４９】
検査制御装置２００は、タイミング回路２１１、照明制御回路２１２、画像入力回路２１３、画像処理回路２１４、画像保存回路２１５などを備える。また、検査制御装置２００には、表示装置２２０や、図示しない検査者（管理者）のための操作入力装置などが接続される。検査制御装置２００及びその各機能は、所定のコンピュータや回路のハードウェア及びソフトウェアにより実現される。例えば、ＰＣ等においてプロセッサによるメモリ上のプログラム処理実行や、ＬＳＩ等において専用の回路などにより実現される。
【００５０】
センサ２１，２２により車輪２が所定の位置に来たことが検知されると、それはトリガ信号としてタイミング回路２１１に入力される。これにより、タイミング回路２１１は、照明制御回路２１２に対してストロボ発光するように指令を出す。これにより、照明制御回路２１２から照明光源１２（１２ａ，１２ｂ）を制御して、ストロボ照明をディスク１面に対して発光する。またタイミング回路２１１は、照明光源１２の発光期間に同期させるための信号をカメラ１１及び画像入力回路２１３へ出す。
【００５１】
カメラ１１は、照明によるディスク１面からの反射光を入力することにより撮像する。照明及び撮像に関する配置等の条件については後述する。
【００５２】
画像入力回路２１３は、カメラ１１からの画像信号（撮像画像）を、前記発光期間に同期する信号のタイミングに従って入力する。このように、短時間の発光時間の画像を入力することにより、走行状態の車両であっても、静止状態の場合と同様の撮像が可能である。画像入力回路２１３は、撮像画像を、計算処理可能な形式、例えばデジタル値に変換する。
【００５３】
このようにして得られた画像の信号（データ）を、画像処理回路２１４に入力して検査のための情報処理を行い、その結果の情報（Ｄ１）を出力する。特に、画像処理回路２１４は、デジタル値の入力データに対して、特徴点の抽出処理（所定の画像処理）を行う。これにより、特徴点の位置（座標）、大きさ及び長さなどの、画像上の特徴量が計測される。そして、その特徴点抽出処理結果のデータは、その原画像（撮像画像）またはその処理画像または両方のデータと共に、検査処理結果データ（Ｄ１）として、画像保存回路２１５に送られて保存される。なお詳しい画像処理（検査）の内容については適宜設計が可能である。
【００５４】
画像処理回路２１４での処理により検出した画像等を含む検査処理結果のデータ（Ｄ１）は、画像保存回路２１５に保存される。データ（Ｄ１）には、撮像の日時や、車両７、台車８、車輪２、ディスク１などの対象（部位）に関する認識可能な情報（識別番号など）などを共にログ（履歴）として記録、管理する。これにより、後から、追跡、照合などが可能になる。
【００５５】
また、画像処理回路２１４からのデータ（Ｄ１）、または画像保存回路２１５に保存されたデータ（Ｄ２）は、表示装置２２０に出力して画面に表示させることができる。検査者（管理者）は、これらのデータを参照することにより、撮像画像や処理結果等をすぐに確認したり、または後から見直したり、ログを参照して被検査面の状態変化を時間を追って確認したり等が可能である。
【００５６】
また、画像処理回路２１４での処理により、例えばある程度以上大きな特徴点を検出した場合、例えば計測値が予め決められた設定値（閾値）を超えた場合には、外部（管理者等）に対して警報（Ｄ３）を発して報せたり、ログとして記録したりすることもできる。
【００５７】
＜撮像光学系＞
次に、図５〜図１３等を用いて、撮像光学系（撮像装置）１００（カメラ１１、照明光源１２）の詳しい構成について説明する。
【００５８】
前述のように、ディスク１表面は、ブレーキ動作の際にブレーキライニングによって磨かれることにより鏡面状態となっている。このため、撮像光学系１００自身や周囲物の映り込みにより、ディスク１の表面状態の正確な把握が難しい。
【００５９】
図５は、被検査面（ディスク面）に対するカメラ１１の配置に関する問題を説明するために、例えば、車輪２（例えば２ａ）に装架されたディスク１（例えば１ａ）と、その被検査面の法線（ｎ）に対する撮像カメラ１１の位置関係を側面から示している。
【００６０】
図５のように、カメラ１１を、被検査面であるディスク１面（ｓ）の法線（ｎ）と同軸上に配置した場合、法線（ｎ）に対する入射角と反射角が等しくなるため、撮像しようとするディスク１面が鏡面状態になっているため、カメラ１１自身の姿がディスク１面に映り込んでしまう。そのディスク１面をカメラ１１で撮像すると、不要な自身の像を含めて撮像することになり、ディスク１表面状態を正確に検出することができない。
【００６１】
＜カメラの配置＞
そこで、図６（ａ），（ｂ）に示すように、実施の形態１では、撮像光学系１００のカメラ１１を、ディスク１面（被照明領域）の法線（ｎ）に対して所定角度（α）で傾けた位置に配置する構成である。なお、ディスク１面の法線（ｎ）とカメラ１１の光軸（ｑ）との成す角度をαとする。カメラ１１の光軸（ｑ）は、ディスク１の中心（ｃ）よりも少し下の位置の法線（ｎ）に対し下方向に角度αで傾いている。
【００６２】
＜照明光源の配置＞
続いて、照明光源１２の配置について説明する。図６（ａ），（ｂ）には、照明光源１２の配置も示している。ディスク１面の法線（ｎ）と照明光源１２の光軸（ｐ）との成す角度をβとする。また、カメラ１１の光軸（ｑ）と照明光源１２（１２ａ，１２ｂ）の光軸（ｐ（ｐ１，ｐ２））との成す角度をγとする。
【００６３】
図７は、被検査面であるディスク１の表面（ｓ）を拡大して側面方向の断面を示す。照明光源１２からの照明光３２を、ディスク１面の法線（ｎ）３１に対し入射角３５で傾けて入射する。すると、通常のディスク１の表面３７では、当該照明光３２が正反射して、入射角３５と同じ角度で反対側に反射角３６で反射光３３として反射する。
【００６４】
検出したい対象である「きず」のような特徴点３８は、微視的に様々な方向の面を持った凹部である。そのため、特徴点３８に対する、上記同様の照明光３２の入射の際は、散乱光３４として反射する。
【００６５】
そこで、上記反射角３６（反射光３３）とは異なる方向からカメラ１１により撮像する配置構成とすれば、通常の（平坦な）ディスク１面では暗くなり、特徴点３８では明るくなる撮像画像を得ることができる。
【００６６】
従って、本実施の形態１では、例えば図６（ａ），（ｂ）に示すように、カメラ１１の両側に角度γの位置に照明光源１２（１２ａ，１２ｂ）を配置し、ディスク１面を斜めから照明する配置構成とする。これにより、通常ディスク１面では暗く特徴点３８では明るい撮像画像を得ることができる。２つの照明光源１２（１２ａ，１２ｂ）は、ディスク１中心及びカメラ１１の光軸（ｑ）に対して対称的な配置である。
【００６７】
＜特徴点の顕在化の度合い＞
ここで、更に、撮像光学系１００のそれぞれの要素（１１，１２）に関する最適な配置の角度などについて以下に述べる。
【００６８】
図８は、ディスク１面における特徴点（３８）の方向（形状）に対する照明方向（角度）による影響（特徴点（３８）の顕在化の特性）について示す。図８（ａ）は、特徴点（３８）を有するディスク１平面の座標系（極座標系）において、特徴点（３８）（例として図８中の縦方向に長い形状）の長手方向に対する照明光（３２）の照射の角度θ１を示す。図８（ｂ）は、当該角度θ１に応じた特徴点（３８）の顕在化の度合い（検出感度）の特性（実験データ）を示す。
【００６９】
特徴点（３８）の形状（発生方向）の長手方向に平行な角度を基準としてθ１＝０度とする（ここではカメラ１１の光軸（ｑ）も同様とする）。照明光３２ａはθ１＝０度のときである。特徴点（３８）の長手方向に対し直角な角度がθ１＝±９０度となる（ここでは反時計回りを＋、時計回りを−とする）。照明光３２ｂはθ１＝９０度のときである。なお実際にはディスク１面に対し所定の仰角（図６（ａ）の（９０度−β））で照明される。またカメラ１１（撮像）の位置は基準の位置（θ１＝０度）に固定して考える。また「きず」のような特徴点（３８）は、例示（図８（ａ），図１３）するように、経験上、ディスク１面の半径方向に長くなるような形状になりやすいことがわかっている。
【００７０】
特徴点（３８）の顕在化の度合い（検出感度）は、下記式に示すコントラスト（Ｃ）を用いた。即ち、［コントラスト（Ｃ）］＝［特徴点の検出輝度（Ｂ）］／［特徴点周囲の通常部の検出輝度（Ａ）］である。本式でＡが小さいほど、またＢが大きいほど、Ｃが大きくなる。コントラスト（Ｃ）が大きいほど、特徴点（３８）の顕在化の度合いが高く、安定して精度良く特徴点（３８）を抽出できることを表す。
【００７１】
図８（ｂ）に示すように、θ１＝±９０度の方が、θ１＝０度の方よりも、コントラスト（Ｃ）、即ち特徴点（３８）の顕在化の度合いが高いことがわかる。これは前記図７の通り、検出する特徴点（３８）からの光が凹部の角部などからの散乱光３４であることから、角度θ１＝０度付近の方向では、凹部の角部などに照明光が照射され難く、θ１＝±９０度付近の方向では照明光が照射されやすいためと考えられる。
【００７２】
図８（ｂ）の実験データは、ディスク１面の法線（ｎ）と照明光（ｐ）との角度（図６（ａ）の角度β）が７５度程度とした場合（言い換えればディスク１面（ｓ）と照明光（ｐ）との角度（仰角）が１５度程度とした場合）の結果である。
【００７３】
上記のことから、図６（ｂ）に示した、カメラ１１の検出（撮像）の方向（ｑ）及び配置の位置に対する、照明光源１２（１２ａ，１２ｂ）の照射の方向（ｐ）及び配置の位置に関する角度γは、０度に近い方ではなく、なるべく９０度に近い方が、検出感度が高くなるので望ましいことがわかる。
【００７４】
しかしながら、ディスク１面上で特徴点が発生する位置等は特定できない（一定ではない）。そのため、特徴点に対する照明光の角度θ１が図８のように９０度付近になったときにいつも撮像するように撮像光学系１００（照明光源１２）の配置を構成することは、できない。また後述するように、車両に係わる設備には、「建築限界」が存在するので、その観点からも、上記配置構成は難しい。
【００７５】
そこで、本実施の形態１では、カメラ１１については、図６（ａ）のように、ディスク１面（被照明領域）の法線（ｎ）から下方で且つ車輪２（下端）よりも下方となる角度αの位置に配置され、それと共に、照明光源１２（１２ａ，１２ｂ）については、図６（ｂ）のように、カメラ１１に対する配置の角度γを７０度よりも小さく例えば６０度程度とするように構成した。
【００７６】
なお、カメラ１１及び照明光源１２が、車輪２（下端）よりも下方、即ち線路４よりも下方に配置されるが、検査場では線路４よりも下方に空間が設けられているため、当該配置が可能である（図１１）。また、その他の場所でも地中に穴などを掘るなどすれば、当該配置が可能である。
【００７７】
上記に基づき、前記図６（ｂ）のようにカメラ１１の方向（ｑ）に対する照明光源１２の配置の角度γを６０度付近に設定した場合を考える。
【００７８】
＜輝線、きず＞
次に、図９，図１０等を用いて、前述した問題の１つである輝線について考える。
【００７９】
図９は、図６（ｂ）の構成（γ＝６０度）に基づき、輝線の発生について示す。カメラ１１の光軸（ｑ）に対して角度γ（６０度）で照明光源１２（１２ａ，１２ｂ）の光軸（ｐ（ｐ１，ｐ２））が配置されている。これによりディスク１の撮像面（例えば図３の位置Ｌ１における領域Ａを中心に含む撮像範囲Ｒ１）を照明する。すると、従来技術の場合、４１ａ，４１ｂとして示すように、明るく輝く直線状の部分（ａ−ａ´，ｂ−ｂ´）が発生する。本明細書では、これを輝線（４１ａ，４１ｂ）と呼ぶ。これは検査（撮像）のためには余計な情報（ノイズ）になる。
【００８０】
図１０を用いて、輝線の発生理由などについて説明する。図１０（ａ）は、ディスク１面における「しゅう動痕」（４２）及び輝線（４１）を示す。図１０（ｂ）は、図１０（ａ）のディスク１表面断面を示す。図１０（ｃ）は、照明光源１２とカメラ１１と輝線（４１）を示す。図１０（ｄ）は、「しゅう動痕」（４２）及び輝線（４１）を考慮した撮像光学系１００の配置について示す。
【００８１】
ディスク１表面は、前述のようにブレーキ動作の際にブレーキライニングが押え付けられ、その摩擦によりブレーキ力が生じるものである。このとき、ディスク１表面には、一般に極微細な「きず」のような特徴点（３８）が生じる。ディスク１は回転中心（ｃ）に対して精度良く回転しているので、図１０（ａ）のように、同心円状の溝のような「しゅう動痕」４２（４２ａ，４２ｂ，４２ｃ）になる。即ち、しゅう動痕（４２）の円弧の中心はディスク１の回転中心（ｃ）に等しい。
【００８２】
これは、ディスク１面を立体的に考えると、図１０（ｂ）の断面（Ａ−Ａ´）のようになる。即ち、ディスク１の表面３７（ｓ）に対し、斜め方向から照明光を照射すると、図１０（ｂ）のように、溝（「しゅう動痕」４２）の無い平らな箇所では、照明方向と反対側へ反射するのに対し、各溝（「しゅう動痕」４２）の壁面等に当たった照明光は、当該壁面の法線に従った入射角と反射角の関係により、照明方向と同じ側へ反射（正反射）してくる。この溝（「しゅう動痕」４２）は、図１０（ａ）のように、ディスク１平面で考えると同心円状になっている。
【００８３】
そこで、図１０（ｃ）に示すように、上記正反射する部分がＡ−Ａ´のように直線状に並び、線状に正反射して明るい部位、即ち輝線４１が発生する。溝（「しゅう動痕」４２）の壁面の角度は、これら立体的及び平面的な要素から成っている。平面図では入射角と反射角が等しい位置に輝線４１（Ａ−Ａ´）が発生していないのは、このためである。
【００８４】
この輝線４１の発生箇所は、カメラ１１と照明光源１２とディスク１との位置関係で決まるものであるが、特徴点（３８）がこの輝線４１の箇所に来たときに撮像する状況となる可能性もある。前述したように、特徴点（３８）で発生した散乱光（３４）を検出して検査するものであるが、一般的に正反射光の方が輝度は高く、上記状況の場合には特徴点（３８）の検出が難しくなる問題がある。
【００８５】
そこで、本実施の形態１では、この輝線（４１）が発生しないように（撮像画像において輝線の影響をできる限り排除できるように）、カメラ１１と照明光源１２との位置関係を規定している。
【００８６】
図１０（ｄ）において、照明光源１２（１２ａ）からの照明光３２の、しゅう動痕（４２）での正反射光は、しゅう動痕（４２）の円弧の法線４４に対して、入射角３５と反射角３６が等しくなる方向へ、反射光３３のように反射する。従って、しゅう動痕（４２）の円弧の法線４４が、カメラ１１の光軸４３（ｐ）（Ｙ軸に重なる）に対して、照明光源１２（１２ａ）と反対方向になる場合は、当該光がカメラ１１には入射しない（即ち撮像画像における輝線４１の影響を排除できる）。
【００８７】
図１０（ｄ）で、ディスク１面（円形状領域）における中心（ｃ）を座標原点とする座標系（Ｘ−Ｙ）を考える。即ち、例示するように、ディスク中心を原点に４つの象限（面、領域）に分けられ、右上（領域４５ｄ）の象限を起点に第１象限として、反時計回りに第２象限（領域４５ｃ）、第３象限（領域４５ｂ）となり、右下（領域４５ａ）が第４象限になる。なおここでいう「象限」は、ディスク１の回転によらずに固定と考える（前記図３のＡ〜Ｄのような領域は回転により位置が変動する）。このとき、上の第１象限（対応する領域４５ｄ）、及び第２象限（対応する領域４５ｃ）は、前述のように構造物（８）で隠された形になり、左下の第３象限（対応する領域４５ｂ）、右下の第４象限（対応する領域４５ａ）が撮像対象となる。なお前述のように、第４象限に来る領域（４５ａ）を第１の領域と称し、第３象限に来る領域（４５ｂ）を第２の領域と称する。
【００８８】
本実施の形態１では、図１０（ｄ）の左下の象限に対応する第２の領域（４５ｂ）を照明する第１の照明光源１２（１２ａ）については、隣の右下の象限に対応する第１の領域（４５ａ）上の空間に配置し、第１の領域（４５ａ）を照明しないようにする（言い換えれば照射中心を図１０（ｄ）のように第２の領域寄りにして第１の領域よりも第２の領域への照明量を多くする）。これにより、前述の輝線（４１）を発生しない条件を満たすことができる。また、これと対称に、図示しないが、右下の象限に対応する第１の領域（４５ａ）を照明する第２の照明光源１２（１２ｂ）については、隣の左下の象限に対応する第２の領域（４５ｂ）上の空間に配置し、第２の領域（４５ｂ）を照明しないようにする。これにより、同様に輝線（４１）を発生しない条件を満たすことができる。
【００８９】
これら（１２ａ，１２ｂ）により、カメラ１１の撮像範囲（図３、Ｒ１）に含まれる領域（例えばＡ，Ｂ）を照明して撮像することができ、輝線の影響を排除できる。なお実際には、照明光源１２については、図６（ａ）に示すように、ディスク１平面（ｓ）上ではなく、当該平面（ｓ）に対して斜め下（仰角：９０度−β）から照射するように配置される。よって、例えば左下の象限の領域を照明する第１の照明光源１２ａは、右下の象限の領域上の空間に配置されることになる。
【００９０】
＜建築限界＞
さて、鉄道車両を支障無く走行するために、軌道４上に確保すべき空間、即ち「建築限界」と呼ばれる制約が存在し、いかなるものもこの限界（領域）内に入ることは許されない（久保田博著「鉄道工学ハンドブック」（ｐｐ５４〜５５、グランプリ出版）などを参照）。即ち、本実施の形態１における撮像光学系１００等の物理的要素についても、この建築限界を超えて車両に近付けて配置することは許されない。
【００９１】
図１１において、建築限界に係わり、車両７及びその周囲の断面を示している。車両７に対する建築限界４６を破線で示す。車両７の下部には、図１のような車輪２（２ａ，２ｂ）の外側及び内側の各ブレーキディスク１（１ａ〜１ｄ）を撮像するための各撮像光学系１００（１０１ａ〜１０１ｄ）が配置される。しかしながら、建築限界４６に従い、各撮像光学系１００、特に、車輪２の内側のディスク１ｂ，１ｃを撮像するための撮像光学系１０１ｂ，１０１ｃについては、線路４（４ａ，４ｂ）の上面（４ｃ）よりも上には配置することができない。
【００９２】
なお、車両７の近隣には、撮像時における外光などの遮光、不要物の映り込みの排除のために、板などの遮光物８１の存在（設置）が望ましい。撮像光学系１００を用いた撮像は、このように遮光物８１などを利用して外光などが入らない暗環境での照明（ストロボ）により行われることが望ましい。
【００９３】
＜好適な配置例＞
以上の説明に基づき、図１２以下を用いて、本実施の形態１における撮像光学系１００に関する好適な配置構成例（条件）を説明する。図１２は、前記図６同様に、撮像光学系１００の配置に関して示す。図１２（ａ）は、ディスク１正面方向から見たもの、図１２（ｂ）は、ディスク１側面方向から見たものである。
【００９４】
まず、カメラ１１については、図１２（ａ）のように、ディスク１の正面、ディスク中心（ｃ）に対して光軸（ｑ）を配置する。このとき、図１２（ｂ）に示すように、カメラ１１の光軸（ｑ）とディスク１面の法線（ｎ）との成す角度αは、１５度〜３０度の範囲内の値にすると共に、ディスク１面の法線（ｎ）から下方に傾ける。特に角度αを２０度程度とする。
【００９５】
次に、照明光源１２については、図１２（ａ）のように２つの照明光源１２ａ，１２ｂをカメラ１１の光軸（ｑ）の両側に対称的に配置し、カメラ１１の光軸（ｑ）と各照明光源１２（１２ａ，１２ｂ）の光軸（ｐ（ｐ１，ｐ２））との成す角度γは、３０度〜７０度の範囲内の値とする。特に角度γを６０度程度とする。
【００９６】
また、照明光源１２（１２ａ，１２ｂ）の光軸（ｐ（ｐ１，ｐ２））とディスク１面の法線（ｎ）との成す角度βは、６０度〜８０度の範囲内の値とする。特に角度βを７５度程度とする。なお、これは照明光源１２の光軸（ｐ）とディスク１面（ｓ）との成す角度で表せば、１０度〜３０度の範囲内の値（特に１５度程度）である。
【００９７】
また、前述（図１０）したように、第１の照明光源１２ａについては、図１２（ａ）に斜線で示した５３ａの範囲内であるディスク１面の左下の象限に対応する第２の領域を中心に照明し、右下の象限に対応する第１の領域を照明しないようにし、第１の領域に対応する空間上の位置に配置される。同様に、第２の照明光源１２ｂについては、ディスク１面の右下の象限に対応する第１の領域を中心に照明し（５３ａのカメラ光軸に対して線対称位置（図示せず））、左下の象限に対応する第２の領域を照明しないようにし、第２の領域に対応する空間上の位置に配置される。
【００９８】
＜特徴点の顕在化の特性＞
本実施の形態では、走行車両の回転する車輪のディスク面（動いている対象物）を２次元撮像する方式を用いるため、その特有の問題点（精度を下げる要因）として、撮像の際のディスク面における特徴点の顕在化の特性（検出感度）の影響がある。ディスク回転に伴い、ディスク面の座標系における特徴点の位置及び方向（形状）が変化（移動や回転）し、当該特徴点に対する照明方向が変化する。これにより、状況に応じて、検出感度の高低の差が存在する。
【００９９】
この点を考慮して、本実施の形態１では、検出感度が高くなる状態で撮像できるように撮像光学系１００の配置等が構成される。検出感度が高くない状態の箇所の撮像画像については、検出感度が高い状態に来たときの撮像画像を用いて、合成処理等を行うことで、精度良い検査画像を得る。以下、このような構成について説明する。
【０１００】
図１３には、図１２までの条件（γ＝６０度、β＝１５度）を満たす照明光源１２（１２ａ，１２ｂ）及びカメラ１１を持つ撮像光学系１００により撮像した場合において、ディスク１面の特徴点の位置（角度θ２）に応じた特徴点の顕在化の度合い（前述のコントラスト（Ｃ））を調べた結果を示す。図１３（ａ）は、ディスク１面の座標系における、回転（角度θ２）による特徴点（３８）の位置の変化を示す。ディスク１面の座標系における回転による角度をθ２とする。例として特徴点３８は図８（ａ）のような形状である。ディスク１面における同一の特徴点（３８）が、カメラ１１の光軸（ｑ）の位置（Ｙ軸の負方向、線路４に近い下方向）にあるときを、θ２＝０度とする。図１３（ｂ）は、図１３（ａ）の角度θ２（±９０度の範囲）に応じた各位置の特徴点の顕在化の度合い（コントラスト（Ｃ））を調べた結果を示す。
【０１０１】
ディスク１の回転（角度θ２）により、特徴点の位置・方向が変化し（図１３（ａ））、それに応じて特徴点に対する照明の角度θ１が変化し（図８）、これらに応じて、特徴点の顕在化の度合いが異なる。
【０１０２】
図１３（ａ），（ｂ）のように、角度θ２により差はあるが、ほぼθ２＝±４５度の範囲３９（例えば図３の位置Ｌ１の領域Ａに対応する範囲）においては、コントラスト（Ｃ）が十分に高く、特徴点が顕在化して検出ができている。
【０１０３】
本実施の形態１では、上記を考慮して、特徴点の検出感度が高くなる位置で撮像できるように、照明光源１２及びカメラ１１の配置を図１２のように規定している。
【０１０４】
例として、図１３（ａ）のθ２＝−４５度の位置（図１０（ｄ）では左下の領域）に特徴点（３８）が来たとき、図１２（ａ）の第１の照明光源１２ａにより当該位置（領域）を照明し、カメラ１１により撮像する。このとき、検出感度に関しては、図８（ａ）のθ１＝＋９０度に相当し、図１３（ｂ）のθ２＝−４５度付近に示すように、コントラスト（Ｃ）が高く、即ち特徴点（３８）を感度良く検出できる。
【０１０５】
以上のようにして、カメラ１１によって撮像された画像は、前述のように図４の検査制御装置２００により処理される。
【０１０６】
実施の形態１によれば、車両走行状態でディスク面全面を複数に分割して撮像する構成において、ディスク全面の撮像・検査を効率的に且つ精度良く実現することができる。また、建築限界の制約に適合した構成となっている。また、不要物の映り込み等を避け、特徴点の顕在化の特性を考慮した構成により、特徴点を感度良く正確に検出することができ、安定した精度良い撮像・検査が可能である。
【０１０７】
（実施の形態２）
次に、図１４等を用いて、実施の形態２について説明する。実施の形態２の構成の基本的な部分は実施の形態１と同じであり、異なる部分としては、撮像光学系を増やし、前述の検出感度の差を補正する合成処理を行う構成を有する。
【０１０８】
前記実施の形態１では、ディスク１面を図３のように例えば４つの領域（Ａ〜Ｄ）に分割して、それらに対応して４つの撮像光学系１００（１０１〜１０４）（第１の系とする）を設け、これらによる領域毎の撮像によりディスク１全面を撮像する構成としている。一方、実施の形態２では、第１の系の撮像光学系１００（１０１〜１０４）に対して、更に４つの撮像光学系１００（１０５〜１０８）を補間するように追加して配置し、合計８つの撮像光学系１００による１つのシステムを構成している。なお図示しないが各撮像光学系１００に対応して検査制御装置２００なども有する。
【０１０９】
実施の形態１（図３）では、車輪２の回転（ｂ方向）の９０度単位での４つの位置Ｌ１〜Ｌ４に応じた４つの撮像装置１００による第１の系である。実施の形態２では、図１４のように、第１の系を補間する位置Ｌ１’〜Ｌ４’に応じた４つの撮像装置１００による第２の系を有する。第１、第２の系を合わせて、車輪２の回転（ｂ方向）の４５度単位での８つの位置に応じた８つの撮像装置１００によるシステムである。
【０１１０】
実施の形態１（図１３）で説明したように、特徴点（３８）がディスク１面上のどの箇所に来たときに撮像するかによって、特徴点（３８）の顕在化の度合い（検出感度）が異なる。例えば、図３の第１の系における領域Ａ〜Ｄをそれぞれ中心（対象）にして照明及び撮像する場合、図１３のように、角度θ２が４５度ずれた位置では検出感度の大小の差がある。
【０１１１】
そこで、図１４に示すように、車両走行及び車輪２及びディスク１の回転により、上記検出感度が相対的に低い位置（例えばθ２＝０度）が、検出感度が相対的に高い位置（例えばθ２＝±４５度）に来たときに撮像できるように、第１の系の位置（Ｌ１〜Ｌ４）に対して補間する位置、即ちそれぞれ４５度ずれた位置（Ｌ１’〜Ｌ４’）に、第２の系の撮像装置１００を設置した。これにより、同じ特徴点の検出に際しても、４５度ずれた各位置の撮像画像が得られるので、検出感度が高い方の撮像画像を利用することができる。
【０１１２】
図１４の場合、８つの撮像装置１０１〜１０８により、車輪２の４５度の回転毎に、各象限の領域を含む撮像範囲Ｒ１を撮像するようにしている。例示する撮像基準点Ｓの４５度回転の位置毎に撮像可能である。第１の系により図３のように各領域Ａ〜Ｄを中心に撮像し、第２の系により各領域Ａ〜Ｄの境界を中心に撮像する。
【０１１３】
そして、本システムでは、検査制御装置２００により、各撮像光学系１００（１０１〜１０８）での撮像画像、またはその画像からの特徴点抽出結果をもとに、前述のディスク１面上の位置等による特徴点の検出感度の差（図１３）を補正するように合成処理を行うことができる。これにより、検出感度の差を無くす、または低減して、高感度で安定した撮像・検査を実現できる。
【０１１４】
上記合成処理（補正処理）の例について、図１５を用いて説明する。図１５（ａ）は、図１４のＬ１およびＬ１’の位置にて、撮像光学系１０１および１０５にて撮像するときの位置関係の例を示したものである。図１５（ａ）の左側のように、Ｌ１の位置にあるとき、特徴点３８は、ディスク１のＡの領域かつ車輪の真下にあったとする。このとき撮像光学系１０１で範囲Ｒ１を撮像した画像は、図１５（ｂ）の９２である。車輪およびディスク１がｂ方向に回転して、Ｌ１’の位置に来ると、図１５（ａ）の右側のような位置関係になる。このとき撮像光学系１０５の同様の画像は９３である。図１３で説明したように、図１５（ａ）の左側の状態（位置Ｌ１）、即ち特徴点がθ２＝０度の位置にあるときは、顕在化の度合いが若干低い。このため、画像９２のように特徴点が例えば途切れ途切れに検出されることがある。ここで図１５（ａ）の左側の状態（位置Ｌ１）においては、Ａの領域全面の顕在化の度合いが低い訳ではなく、±４５度付近、例えば、図中のＡの文字のある付近（境界付近）は顕在化の度合いが高いということに注意が必要である。次に図１５（ａ）の右側の状態（位置Ｌ１’）、即ち特徴点がθ２＝４５度の位置にあるときは、顕在化の度合いが高い（良い）。このため、画像９３のように特徴点が正確に検出される。
【０１１５】
以下、図１５（ｂ）により合成処理（補正処理）の例について説明する。画像９２と画像９３を撮像した際に、撮像対象が４５度回転していることは、撮像光学系１０１，１０５の設定から既知であるので、例えば画像９３を、ディスク中心位置に対応する座標を基準に時計回りに４５度回転させれば、ディスク１面の画像９２と同じ位置を撮像した画像となる（画像９４）。このとき、画像９３に写っていない領域は無効であり、かつ、ディスク１面以外は不要であるので、回転後の有効な領域は、画像９５の斜線部になる。そこで、画像９２と画像９４との間で画像９５の斜線部を合成することによって、それぞれの角度θ２で撮像した画像の顕在化度合いが低い場所を補正することができる。
【０１１６】
以下、合成方法について説明する。先に説明したように撮像光学系１００は、特徴点を明るく検出するような設定になっている。そこで画像９２と画像９４の、画像９５の斜線部に相当する領域において、画像の同一座標の画素の値が大きい（即ち明るい）方の値を合成後の画像９６の当該画像座標の画素の値とする。以上の処理により、画像９６のような有効領域全面において、特徴点を正確に捉えた画像を得ることができる。また、前記無効な領域については、他の撮像系で撮った例えばＬ２，Ｌ２’，……の画像から順次得られることは、これまでの説明より明らかである。
【０１１７】
（実施の形態３）
次に、図１６〜図１８等を用いて、実施の形態３について説明する。実施の形態３の構成は基本的な部分は実施の形態１と同じであり、異なる部分として、照明限定手段を有する。
【０１１８】
前記図２のように、車両７における車輪２及びブレーキディスク１のほぼ上半分の領域は、台車構造物８などにより覆われている。また前記図１２では好適な撮像光学系１００（照明光源１２及びカメラ１１）の配置の条件を説明した。このとき、照明光源１２からの照明光で台車構造物８に当たった光が、ディスク１表面に反射して、カメラ１１に検出されることが懸念される。
【０１１９】
図１６は、撮像の際の台車構造物８に当たる照明光について示す。図１６（ａ）は、ディスク１及び台車構造物８等を正面方向（車両７の側面方向）から示す。図１６（ｂ）は、図１６（ａ）を側面方向から示す。照明光源１２（１２ａ，１２ｂ）からの照明光が広がりを持ち、台車構造物８の部位に対しても照射されると、台車構造物８の部位からの光（正反射光または散乱光）５１が、ディスク１面（ｓ）で反射して、それを含む光５２が、カメラ１１に検出される。光５２は、ディスク１表面自体の情報、及び台車構造物５０の反射像の情報の両方が含まれてしまっている。これら台車構造物８の光５１は、ディスク１表面自体の情報ではないため、不要かつ有害なものであり、排除する必要がある。実施の形態３では、この排除の手段として、以下の照明限定手段を備える。
【０１２０】
図１７は、図１６（ｂ）に対し、実施の形態３で照明限定手段を備える構成における照明等を示す。実施の形態３では、照明光源１２による照明光の照射範囲が、図１７の光（照射範囲）６１に示すように、台車構造物８に照射されないように構成される。このため、照明光源１２に、台車構造物８に光が当たらないようなマスクを設けることにより、輝度分布を制御する。
【０１２１】
これにより、ディスク１面からカメラ１１への光６２は、ディスク１表面の情報を含み台車構造物８の反射像を含まない光である。
【０１２２】
図１８には、上記排除（照明限定手段）のための照明光源１２の構造例を示す。ストロボランプなどの光源７１からの光を、レンズ７２により一旦焦点位置に集光し、この集光位置近傍にマスク７３が配置されている。マスク７３を通った照明光を、レンズ７４により、被照明領域となるディスク１面上に結像させる（光７５）。この構成により、台車構造物８の部位に照明光を照射することなく、ディスク１表面の対象箇所にのみ照明光を照射することができる。そのため、台車構造物８からの有害な反射光の影響を排除・低減でき、特徴点を高感度に検出することができる。
【０１２３】
（他の実施の形態）
以上説明した実施の形態では、図１のように車輪２の側面（両側面）にディスク１が装架された方式のディスクブレーキに関する検査の構成を説明した。本発明は、これに限らず、例えば図１９のように、車軸３に装架されたディスクブレーキ１Ｂを対象とした検査の構成についても同様に適用することができる。図１９の輪軸部９０では、車軸３の両端の車輪２ではなく、その間の一部に円盤形状のディスクブレーキ１Ｂが装架されている。このディスクブレーキ１Ｂに対して前述同様に撮像光学系１００を配置すればよい。
【０１２４】
以上説明したように、各実施の形態によれば、走行状態の車両における回転する車輪部のディスク面を軌道の横方向から複数に分けて撮像することにより、ディスク全面の撮像・検査を効率的に且つ精度良く実現することができる。特に、被検査面（ディスク面）からの不要な正反射光等を検出せずに、ディスク表面に発生している「きず」等の特徴点を、感度良く正確に検出することができ、安定した精度良い撮像・検査が可能である。
【０１２５】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【０１２６】
本発明は、鉄道車両の検査技術に利用可能である。
【符号の説明】
【０１２７】
１（１ａ〜１ｄ），１Ｂ…ブレーキディスク（ディスク、ディスクブレーキ）、２（２ａ，２ｂ）…車輪、３…車軸、４（４ａ，４ｂ）…線路（軌道）、４ｃ…線路上面、７…車両（車体、車両本体）、８…台車（台車構造物）、１１…カメラ（センサ）、１２（１２ａ，１２ｂ）…照明光源、２１（２１ａ〜２１ｄ），２２（２２ａ〜２２ｄ）…センサ（車輪検知センサ）、３２，３２ａ，３２ｂ…照明光、３３…反射光、３４…散乱光、３５…入射角、３６…反射角、３７…ディスク表面、３８…特徴点、３９…範囲、４１（４１ａ，４１ｂ）…輝線、４２（４２ａ〜４２ｄ）…しゅう動痕（溝）、４３…カメラの光軸、４４…しゅう動痕の円弧の法線、４５ａ〜４５ｄ…ディスク面の座標系の領域、４６…建築限界、５１…光、５２…光、６１…光（照明範囲）、６２…光、７１…光源、７２，７４…レンズ、７３…マスク、７５…光、８１…遮光物、９０…輪軸部、９２，９３，９４，９５，９６…画像、１００（１０１〜１０８）…撮像光学系（撮像装置）、２００（２０１〜２０８）…検査制御装置、２１１…タイミング回路、２１２…照明制御回路、２１３…画像入力回路、２１４…画像処理回路、２１５…画像保存回路、２２０…表示装置、３００（３０１〜３０８）…検査装置。
【図１】
0005466048.tif 000002
【図２】
0005466048.tif 000003
【図３】
0005466048.tif 000004
【図４】
0005466048.tif 000005
【図５】
0005466048.tif 000006
【図６】
0005466048.tif 000007
【図７】
0005466048.tif 000008
【図８】
0005466048.tif 000009
【図９】
0005466048.tif 000010
【図１０】
0005466048.tif 000011
【図１１】
0005466048.tif 000012
【図１２】
0005466048.tif 000013
【図１３】
0005466048.tif 000014
【図１４】
0005466048.tif 000015
【図１５】
0005466048.tif 000016
【図１６】
0005466048.tif 000017
【図１７】
0005466048.tif 000018
【図１８】
0005466048.tif 000019
【図１９】
0005466048.tif 000020